(57)【要約】      （修正有）【課題】作業者の熟練度にかかわらず、品質の高い衛生的な野生鳥獣肉製品を安定して製造することができる野生鳥獣肉製品の製造方法及び屋内製造施設を提供すること。【解決手段】血液抜き処理が行われた野生鳥獣から野生鳥獣肉製品を屋内製造施設内で製造する野生鳥獣肉製品の製造方法であって、血抜き処理が行われた野生鳥獣から被処理体としての枝肉を準備する準備工程と、被処理体と殺菌液とを接触させることにより被処理体を洗浄しながら殺菌して処理体を得る洗浄殺菌処理工程と、処理体を食肉処理して野生鳥獣肉製品を得る食肉処理工程とを含む、野生鳥獣肉製品の製造方法。【選択図】図１
2019017323.tif 000002
【特許請求の範囲】
【請求項１】
血抜き処理が行われた野生鳥獣から野生鳥獣肉製品を屋内製造施設内で製造する野生鳥獣肉製品の製造方法であって、
血抜き処理が行われた野生鳥獣から被処理体としての枝肉を準備する準備工程と、
前記被処理体と殺菌液とを接触させることにより前記被処理体を洗浄しながら殺菌して処理体を得る洗浄殺菌処理工程と、
前記処理体を食肉処理して前記野生鳥獣肉製品を得る食肉処理工程とを含む野生鳥獣肉製品の製造方法。
【請求項２】
前記洗浄殺菌処理工程において、前記被処理体を前記屋内製造施設内に設置された浸漬槽内の殺菌液に浸漬させることにより前記被処理体と前記殺菌液とを接触させ、前記浸漬槽内の前記殺菌液に流れを発生させる、請求項１に記載の野生鳥獣肉製品の製造方法。
【請求項３】
前記洗浄殺菌処理工程において、前記被処理体を前記屋内製造施設内に設置された浸漬槽内の殺菌液に浸漬させることにより前記被処理体と前記殺菌液とを接触させ、前記殺菌液に振動を付与する、請求項１に記載の野生鳥獣肉製品の製造方法。
【請求項４】
血抜き処理が行われた野生鳥獣から野生鳥獣肉製品を製造する野生鳥獣肉製品の屋内製造施設であって、
血抜き処理が行われた野生鳥獣から準備される被処理体としての枝肉と殺菌液とを接触させることにより前記被処理体を洗浄しながら殺菌して処理体を得る洗浄殺菌処理装置と、
前記処理体を食肉処理する食肉処理装置とを含む、野生鳥獣肉製品の屋内製造施設。
【請求項５】
前記洗浄殺菌処理装置が、
前記被処理体を浸漬させる殺菌液を貯留する浸漬槽と、
前記殺菌液に流れを発生させる流れ発生装置とを更に備える、請求項４に記載の野生鳥獣肉製品の屋内製造施設。
【請求項６】
前記洗浄殺菌処理装置が、
前記被処理体を浸漬させる殺菌液を貯留する浸漬槽と、
前記殺菌液に振動を付与する振動付与装置とを更に備える、請求項４に記載の野生鳥獣肉製品の屋内製造施設。
【発明の詳細な説明】
【技術分野】
【０００１】
本発明は、野生鳥獣肉製品の製造方法及び屋内製造施設に関する。
【背景技術】
【０００２】
イノシシ、シカなどの野生鳥獣は、農作物被害や山林被害を起こす有害鳥獣として狩猟者によって捕獲され駆除されており、現在、駆除された有害鳥獣の大半は埋設処分されている。
【０００３】
一方、野生鳥獣の中でも、例えばイノシシやシカは、筋肉内の脂肪を効率よく燃焼させるＬカルチニンや、抗酸化作用、疲労回復、老化防止に効くアンセリンを豚肉より多く含有していることも知られている。
【０００４】
このため、近年では、捕獲された野生鳥獣の食用肉としての利用を促進することが検討されている。例えば、下記非特許文献１では、イノシシなどの野生鳥獣を捕獲して奪命させた後、捕獲・狩猟現場にて又は解体処理施設に搬入して血抜きを行い、内臓を摘出し、得られた肉体を水槽内にて流水に漬け、水槽から引き上げてから枝肉加工作業場所にて皮剥ぎを行い、枝肉状態にした後、精肉処理することによってイノシシ肉製品を製造する方法が開示されている。
【先行技術文献】
【特許文献】
【０００５】
【非特許文献１】“獣肉の資源利用”、［online］、平成２０年１２月１８日、鳥取県、［平成２８年１２月８日検索］、インターネット＜URL：http://www.pref.tottori.lg.jp/secure/258826/satoyama_hokaku_kaitai.pdf＞
【発明の概要】
【発明が解決しようとする課題】
【０００６】
しかし、上記非特許文献１に記載のイノシシ肉製品の製造方法は以下の課題を有していた。
【０００７】
すなわち、上記製造方法は、品質の高い衛生的な野生鳥獣肉製品を安定して製造する点で改善の余地を有していた。
【０００８】
本発明は上記事情に鑑みてなされたものであり、品質の高い衛生的な野生鳥獣肉製品を安定して製造することができる野生鳥獣肉製品の製造方法及び屋内製造施設を提供することを目的とする。
【課題を解決するための手段】
【０００９】
本発明者らは、上記非特許文献１記載のイノシシ肉製品の製造方法において、上記課題が生じる原因について検討した。まず、野生鳥獣の体毛の間や表皮には多くの切断時血液、付着雑菌、寄生虫、付着臭等（以下、「表面付着物」と呼ぶ）が存在しており、上記表面付着物は腐敗要因となるだけでなく臭いや食中毒の原因ともなる。このため、この表面付着物が精肉処理工程に持ち込まれる場合があることで品質の高い衛生的な野生鳥獣肉製品を安定して製造することができないのではないかと本発明者らは考えた。一方、上記非特許文献１記載の製造方法では、内臓摘出後の肉体が、皮剥ぎの前に流水に漬けられ、さらに皮剥ぎも行われるので、枝肉においては上記表面付着物が十分に除去されているものと本発明者らは考えていた。実際、本発明者らが、枝肉を水に浸漬して放置した後、水の透明度を確認したところ、透明度は高く、あまり変わらなかった。しかし、本発明者らが、枝肉を水に漬けて枝肉に超音波振動を付与したところ、水の透明度が低くなることが確認された。このとき、水には血液のほか、体毛などが含まれていた。このことから、本発明者らは枝肉であっても、表面付着物は実際には十分に残留しており、この表面付着物によって品質の高い衛生的な野生鳥獣肉製品を安定して製造することができないのではないかと考えた。また、本発明者らは、非特許文献１記載の製造方法のように、内臓摘出後の肉体を皮剥ぎ前に流水に漬ける操作を循環水水槽で再現してみたところ、槽内に血、土などの、体毛に付着した残渣物を多く確認した。このため、非特許文献１記載の製造方法のように内臓摘出後の肉体を槽内から引き上げ、枝肉加工作業場所にて皮剥ぎを行うのは、枝肉加工作業場所に野生残渣物を持ち込むことになり、野生残渣物による枝肉への再汚染が懸念された。そこで、本発明者らはさらに鋭意研究を重ねた結果、以下の発明により上記課題を解決し得ることを見出した。
【００１０】
すなわち、本発明は、血抜き処理が行われた野生鳥獣から野生鳥獣肉製品を屋内製造施設内で製造する野生鳥獣肉製品の製造方法であって、血抜き処理が行われた野生鳥獣から被処理体としての枝肉を準備する準備工程と、前記被処理体と殺菌液とを接触させることにより前記被処理体を洗浄しながら殺菌して処理体を得る洗浄殺菌処理工程と、前記処理体を食肉処理して前記野生鳥獣肉製品を得る食肉処理工程とを含む野生鳥獣肉製品の製造方法である。
【００１１】
本発明の野生鳥獣肉製品の製造方法によれば、屋内製造施設内において血抜き処理が行われた野生鳥獣から野生鳥獣肉製品が製造される。この製造過程における洗浄殺菌処理工程において、被処理体としての枝肉と殺菌液とが接触されることにより被処理体が洗浄されながら殺菌されて処理体が得られる。このため、被処理体としての枝肉に表面付着物が付着していても、食肉処理工程においては、表面付着物が除去又は殺菌されていることとなるため、品質の高い衛生的な野生鳥獣肉製品を安定して製造することができる。
【００１２】
また、食肉処理工程において、表面付着物が除去又は殺菌されていることとなるため、枝肉に上記表面付着物を付着させないようにする作業において、作業者の熟練を要することなく、品質の高い衛生的な野生鳥獣肉製品を安定して製造できる。特に、野生鳥獣は通常、季節差、地域環境差が大きく、安定した捕獲ができないため、大量生産が困難であり、作業に熟練することが困難である。このため、本発明は、作業者の熟練度によらず、品質の高い衛生的な野生鳥獣肉製品を安定して製造する上で極めて有用である。
【００１３】
上記野生鳥獣肉製品の製造方法においては、前記洗浄殺菌処理工程において、前記被処理体を前記屋内製造施設内に設置された浸漬槽内の殺菌液に浸漬させることにより前記被処理体と前記殺菌液とを接触させ、前記浸漬槽内の前記殺菌液に流れを発生させることが好ましい。
【００１４】
浸漬槽内の殺菌液に流れを発生させると、この流れにより、被処理体の洗浄が促進される。このため、殺菌液に流れを発生させない場合に比べて、被処理体において洗浄を効果的に行うことが可能となる。このため、洗浄がより十分に行われた野生鳥獣肉製品を安定して製造することができる。
【００１５】
上記野生鳥獣肉製品の製造方法においては、前記洗浄殺菌処理工程において、前記被処理体を前記屋内製造施設内に設置された浸漬槽内の殺菌液に浸漬させることにより前記被処理体と前記殺菌液とを接触させ、前記殺菌液に振動を付与することが好ましい。
【００１６】
この場合、殺菌液に付与される振動により被処理体にも振動を付与することが可能となり、殺菌液に振動を付与しない場合に比べて、被処理体において洗浄をより促進させることが可能となる。このため、洗浄がより十分に行われた野生鳥獣肉製品を安定して製造することができる。
【００１７】
また本発明は、血抜き処理が行われた野生鳥獣から野生鳥獣肉製品を製造する野生鳥獣肉製品の屋内製造施設であって、血抜き処理が行われた野生鳥獣から準備される被処理体としての枝肉と殺菌液とを接触させることにより前記被処理体を洗浄しながら殺菌して処理体を得る洗浄殺菌処理装置と、前記処理体を食肉処理する食肉処理装置とを含む野生鳥獣肉製品の屋内製造施設である。
【００１８】
本発明の野生鳥獣肉製品の屋内製造施設によれば、血抜き処理が行われた野生鳥獣から野生鳥獣肉製品が製造される。この製造施設における洗浄殺菌処理装置において、被処理体と殺菌液とが接触されることにより被処理体が洗浄されながら殺菌されて処理体が得られる。このため、被処理体としての枝肉に表面付着物が付着していても、食肉処理装置において表面付着物が除去又は殺菌されていることとなるため、品質の高い衛生的な野生鳥獣肉製品を安定して製造することができる。
【００１９】
また、食肉処理装置において、表面付着物が除去又は殺菌されていることとなるため、枝肉に上記表面付着物を付着させないようにする作業において、作業者の熟練を要することなく、品質の高い衛生的な野生鳥獣肉製品を安定して製造できる。特に、野生鳥獣は季節差、地域環境差が大きく、安定した捕獲ができないため、大量生産が困難であり、作業に熟練することが困難である。このため、本発明は、作業者の熟練度によらず、品質の高い衛生的な野生鳥獣肉製品を安定して製造する上で極めて有用である。
【００２０】
上記野生鳥獣肉製品の屋内製造施設においては、前記洗浄殺菌処理装置が、前記被処理体を浸漬させる殺菌液を貯留する浸漬槽と、前記殺菌液に流れを発生させる流れ発生装置とを更に備えることが好ましい。
【００２１】
この場合、流れ発生装置により浸漬槽内の殺菌液に流れを発生させることが可能となり、この流れにより、被処理体の洗浄が促進される。このため、殺菌液に流れを発生させない場合に比べて、被処理体において洗浄を効果的に行うことが可能となる。このため、洗浄がより十分に行われた野生鳥獣肉製品を安定して製造することができる。
【００２２】
上記野生鳥獣肉製品の屋内製造施設においては、前記洗浄殺菌処理装置が、前記被処理体を浸漬させる殺菌液を貯留する浸漬槽と、前記殺菌液に振動を付与する振動付与装置を更に備えることが好ましい。
【００２３】
この場合、洗浄殺菌処理装置の振動付与装置により、浸漬槽の殺菌液に振動が付与され、殺菌液に付与される振動により被処理体にも振動が付与される。このため、殺菌液に振動を付与しない場合に比べて、被処理体において洗浄をより促進させることが可能となる。このため、洗浄がより十分に行われた野生鳥獣肉製品を安定して製造することができる。
【００２４】
なお、本発明において、「血抜き処理が行われた野生鳥獣」とは、狩猟者によって捕獲されて奪命された後、血抜き処理が行われた野生鳥獣であって内臓摘出及び皮剥ぎがまだ行われていない状態の野生鳥獣をいう。
【００２５】
また、本発明において、「野生鳥獣」とは、野生に生息する鳥獣又は野生に生息する鳥獣を捕獲した後一定期間飼育した鳥獣であり、「野生鳥獣」には、シカ、イノシシ、ノウサギ、クマ、マガモ、アヒル、ヤマウズラ、キジ、ライチョウ、ヤマシギ、キョンなどが含まれる。
【００２６】
また、本発明において、「被処理体」とは、洗浄殺菌処理工程又は洗浄殺菌処理装置において、殺菌液と接触される直前のものをいう。
また、本発明において、「枝肉」とは、血抜きされた野生鳥獣から内臓摘出及び皮剥ぎが行われた状態の肉体を言い、頭部が切断されている肉体のみならず、頭部が切断されていない肉体をも含むものとする。
【００２７】
さらに、本発明において、「処理体」とは、洗浄殺菌処理工程又は洗浄殺菌処理装置において、殺菌液と接触させた直後のものをいう。
【００２８】
さらにまた、本発明において、「野生鳥獣肉製品」とは、処理体そのもの、又は、処理体に対して熟成、解体等の処理を行ったものをいう。
【発明の効果】
【００２９】
本発明によれば、品質の高い衛生的な野生鳥獣肉製品を安定して製造することができる野生鳥獣肉製品の製造方法及び屋内製造施設が提供される。
【図面の簡単な説明】
【００３０】
【図１】本発明の野生鳥獣肉製品の屋内製造施設の一実施形態を示すフロー図である。
【図２】図１の洗浄殺菌処理装置の一例を概略的に示す部分断面図である。
【図３】図２の洗浄殺菌処理装置を用いた洗浄殺菌処理工程を示す図である。
【発明を実施するための形態】
【００３１】
以下、本発明の野生鳥獣肉製品の屋内製造施設の実施形態について図１及び図２を参照しながら詳細に説明する。図１は、本発明の野生鳥獣肉製品の屋内製造施設の一実施形態を示すフロー図、図２は、図１の洗浄殺菌処理装置の一例を概略的に示す部分断面図である。
【００３２】
図１に示すように、野生鳥獣肉製品の屋内製造施設１００は、血抜き処理が行われた野生鳥獣から野生鳥獣肉製品を製造するものであり、血抜き処理が行われた野生鳥獣（以下、「血抜き野生鳥獣」と呼ぶ）を受け入れて洗浄する洗浄部１０と、血抜き野生鳥獣から内臓を摘出して皮剥ぎを行い、被処理体としての枝肉を得る内臓摘出・皮剥ぎ部２０と、被処理体と殺菌液とを接触させることにより被処理体を洗浄しながら殺菌して処理体を得る洗浄殺菌処理装置３０と、処理体を食肉処理する食肉処理装置４０とを備える。食肉処理装置４０は、熟成保管する熟成保管部５０と、熟成された処理体を解体して包装することによって製品処理を行い、野生鳥獣肉製品を得る製品処理部６０と、野生鳥獣肉製品を冷凍保管又は冷蔵保管する冷凍冷蔵保管庫７０とを備える。
【００３３】
図２に示すように、洗浄殺菌処理装置３０は、被処理体と接触させる殺菌液Ｌが貯留され、屋内製造施設１００内に設置された浸漬槽１と、浸漬槽１の殺菌液Ｌに流れを発生させる流れ発生装置２と、殺菌液Ｌに振動を付与する振動付与装置３と、殺菌液Ｌを冷却する冷却装置４とを備えている。
【００３４】
次に、野生鳥獣肉製品の屋内製造施設１００を用いた野生鳥獣肉製品の製造方法について図１〜図３を参照しながら説明する。図３は、図２の洗浄殺菌処理装置３０を用いた洗浄殺菌処理工程を示す図である。
【００３５】
野生鳥獣肉製品の屋内製造施設１００においては、まず、洗浄部１０にて、受け入れた血抜き野生鳥獣を洗浄する。
【００３６】
血抜き野生鳥獣は、例えば捕獲されて奪命された野生鳥獣に対し、その血液が血管の中で固まらないうちに野生鳥獣をナイフで刺して野生鳥獣の肺動脈や大動脈を切断し放血させることで得ることができる。
【００３７】
次に、内臓摘出・皮剥ぎ部２０にて、血抜き野生鳥獣から内臓を摘出して皮剥ぎを行い、被処理体としての枝肉を得る。こうして被処理体を準備する（準備工程）。
【００３８】
次に、洗浄殺菌処理装置３０にて、上記被処理体と殺菌液とを接触させることにより被処理体を洗浄しながら殺菌して処理体を得る（洗浄殺菌処理工程）。具体的には、洗浄殺菌処理装置３０においては、図３に示すように、上記被処理体Ｍを浸漬槽１の殺菌液Ｌ内に浸漬させることにより、被処理体Ｍと殺菌液Ｌとを接触させる。このとき、浸漬槽１の殺菌液Ｌには流れ発生装置２により流れを発生させ、振動付与装置３により振動を付与するとともに、冷却装置４により殺菌液Ｌの冷却を行う。
【００３９】
次に、食肉処理装置４０の熟成保管部５０にて、処理体を熟成保管する。
【００４０】
次に、食肉処理装置４０の製品処理部６０にて、熟成された処理体を解体して包装する。こうして野生鳥獣肉製品が得られる。なお、野生鳥獣製品は、長期間にわたって保管する場合には、冷凍冷蔵保管庫７０にて冷凍保管され、短期で出荷される場合には、冷蔵保管される。
【００４１】
上記野生鳥獣肉製品の製造方法においては、屋内製造施設１００内において血抜き処理が行われた野生鳥獣から野生鳥獣肉製品が製造される。この製造過程における洗浄殺菌処理装置３０において、被処理体Ｍと殺菌液Ｌとが接触されることにより被処理体Ｍが洗浄されながら殺菌されて処理体が得られる。このため、被処理体Ｍとしての枝肉に表面付着物（切断時血液、付着雑菌、寄生虫、付着臭等）が付着していても、食肉処理装置４０においては、表面付着物が除去又は殺菌されていることとなる。このため、野生鳥獣肉製品の屋内製造施設１００によれば、品質の高い衛生的な野生鳥獣肉製品を安定して製造することができる。
【００４２】
また、食肉処理装置４０において、表面付着物が除去又は殺菌されていることとなるため、枝肉に上記表面付着物を付着させないようにする作業において、作業者の熟練を要することなく、品質の高い衛生的な野生鳥獣肉製品を安定して製造できる。特に、野生鳥獣は季節差、地域環境差が大きく、安定した捕獲ができないため、大量生産が困難であり、作業に熟練することが困難である。このため、野生鳥獣肉製品の屋内製造施設１００は、作業者の熟練度によらず、品質の高い衛生的な野生鳥獣肉製品を安定して製造する上で極めて有用である。
【００４３】
また、洗浄殺菌処理装置３０においては、流れ発生装置２により浸漬槽１の殺菌液Ｌに流れを発生させることが可能となり、この流れにより、被処理体Ｍの洗浄が促進される。このため、殺菌液Ｌに流れを発生させない場合に比べて、被処理体Ｍにおいて洗浄を効果的に行うことが可能となる。このため、洗浄がより十分に行われた野生鳥獣肉製品を安定して製造することができる。
【００４４】
また、洗浄殺菌処理工程においては、振動付与装置３により殺菌液Ｌに振動が付与され、殺菌液Ｌに付与される振動により被処理体Ｍにも振動が付与される。このため、殺菌液Ｌに振動を付与しない場合に比べて、被処理体Ｍにおいて洗浄をより促進させることが可能となる。このため、洗浄がより十分に行われた野生鳥獣肉製品を安定して製造することができる。
【００４５】
さらに、洗浄殺菌処理工程においては、冷却装置４により殺菌液Ｌの冷却が行われる。このため、殺菌液Ｌの温度を低下させることができ、被処理体Ｍの残留体内細菌の増殖を抑制することができるとともに、被処理体Ｍの鮮度を保つこともできる。
【００４６】
次に、上述した浸漬槽１、流れ発生装置２、振動付与装置３、冷却装置４及び洗浄殺菌処理工程について詳細に説明する。
【００４７】
（浸漬槽）
浸漬槽１の形状は、特に限定されるものではなく、円筒形、角筒形など種々の形状であってもよい。
【００４８】
浸漬槽１の殺菌液Ｌは、被処理体Ｍの少なくとも一部を浸漬させることができる程度に貯留されていればよい。殺菌液Ｌは被処理体Ｍの全部を浸漬させることができる程度に貯留されていることが好ましい。
【００４９】
殺菌液Ｌは水及び殺菌剤を含む。殺菌剤としては、例えば次亜塩素酸、次亜塩素酸ナトリウム及び塩化ナトリウムなどの電解質が挙げられる。これらは単独で又は２種以上を混合して用いることができる。
【００５０】
殺菌液Ｌ中の殺菌剤の濃度は特に制限されるものではないが、８０ｐｐｍ以上であることが好ましい。この場合、殺菌剤の濃度が８０ｐｐｍ未満である場合に比べて、殺菌をより促進できる。但し、殺菌液Ｌ中の殺菌剤の濃度は１２００ｐｐｍ以下であることが好ましい。この場合、殺菌剤の濃度が１２００ｐｐｍを超える場合に比べて、殺菌剤の使用量を抑えることができる。殺菌液Ｌ中の殺菌剤の濃度は１０００ｐｐｍ以下であることがより好ましい。
【００５１】
浸漬槽１の内壁面の色は特に制限されるものではなく、赤色や赤色以外の色でよいが、赤色以外の色（例えば青色又は白色）であることが好ましい。この場合、洗浄が行われたかどうかを目視にて容易に判別することができる。
【００５２】
なお、浸漬槽１には、図２及び図３に示すように、浸漬槽１の殺菌液Ｌがオーバーフローした場合に備えて、浸漬槽１の側壁の上端に切欠き５が形成され、オーバーフローした殺菌液Ｌが切欠き５を通って浸漬槽１の外へ排出されるようになっていてもよい。また、浸漬槽１には、図２及び図３に示すように、浸漬槽１内の殺菌液Ｌを排出するためのドレインＤが設けられていてもよい。
【００５３】
（流れ発生装置）
流れ発生装置２は、浸漬槽１の殺菌液Ｌに流れを発生させるものであればよい。このような流れ発生装置２としては、例えば循環ポンプが挙げられる。循環ポンプによって殺菌液Ｌを吸い込んだ後、浸漬槽１内に排出することで殺菌液Ｌを循環させれば、殺菌液Ｌに流れを発生させることができる。
【００５４】
（振動付与装置）
振動付与装置３は、浸漬槽１の殺菌液Ｌに振動を付与できるものであればよい。このような振動付与装置３としては、例えば超音波振動装置、加振器などが挙げられる。中でも、超音波振動装置が好ましい。この場合、超音波振動装置は殺菌液Ｌを経て被処理体Ｍに超音波振動を付与できる。この場合、付与する振動が超音波振動でない場合に比べて、被処理体Ｍにおいて洗浄をより促進させることが可能となる。このため、洗浄がより十分に行われた野生鳥獣肉製品を製造することができる。振動付与装置３が超音波振動装置である場合、振動付与装置３は浸漬槽１の内側であって且つ浸漬槽１の底面に接触するように設けられることが好ましい（図２参照）。この場合、被処理体Ｍ全体に振動を与え、被処理体Ｍ全体を洗浄できる。なお、振動付与装置３が加振器である場合、振動付与装置３は通常、浸漬槽１の外側であって且つ浸漬槽１の底面に設けられる。
【００５５】
（冷却装置）
冷却装置４は、殺菌液Ｌを冷却できるものであればよい。このような冷却装置４としては、例えば図２に示すように、本体部４ａと、本体部４ａに接続され、殺菌液Ｌに浸漬される冷却コイル４ｂとを備える冷却器が挙げられる。あるいは、冷却装置４は、冷却水を循環させる循環ポンプと、循環ポンプに接続されるとともに殺菌液Ｌに浸漬され、冷却水を還流させる冷却管とを有するもので構成されてもよい。
【００５６】
（洗浄殺菌処理工程）
洗浄殺菌処理工程による処理時間は、特に制限されないが、０．５時間以上であることが好ましい。この場合、洗浄殺菌処理工程による処理時間が０．５時間未満である場合に比べて、被処理体Ｍの洗浄殺菌がより十分に行われる。但し、洗浄殺菌処理工程による処理時間は、３時間以下であることが好ましい。この場合、洗浄殺菌処理工程による処理時間が３時間を超える場合に比べて、洗浄時間が短縮される。
【００５７】
振動付与装置３として超音波振動装置が用いられる場合、その振動周波数は特に限定されるものではないが、２８〜４０ｋＨｚであることが好ましい。この場合、振動周波数が上記範囲を外れる場合に比べて、被処理体Ｍにおいて洗浄をより一層促進させることが可能となる。さらに、超音波出力の強度も特に限定されるものではないが、０．６〜１Ｗ／ｃｍ２であることが好ましい。この場合、超音波出力が上記範囲を外れる場合に比べて、被処理体Ｍにおいて洗浄をより一層促進させることが可能となる。
【００５８】
冷却装置４は、殺菌液Ｌを０℃より高く１０℃以下の温度に冷却することが好ましい。この場合、殺菌液Ｌが１０℃より高い温度に冷却される場合に比べて、被処理体Ｍの残留体内細菌の増殖を抑制することができるとともに、被処理体Ｍの鮮度をより良好に保つこともできる。
【００５９】
本発明は、上記実施形態に限定されるものではない。例えば上記実施形態では、洗浄殺菌処理装置３０が浸漬槽１のほか、流れ発生装置２、振動付与装置３、及び冷却装置４を備えているが、流れ発生装置２、振動付与装置３、及び冷却装置４のうち一部又は全部が省略されてもよい。
【００６０】
また、上記実施形態では、洗浄殺菌処理装置３０が、殺菌液Ｌが貯留された浸漬槽１を備えているが、浸漬槽１に代えて、殺菌液Ｌを被処理体Ｍに噴霧する噴霧装置を備えてもよい。噴霧装置によって殺菌液Ｌが被処理体Ｍに噴霧されても、殺菌液Ｌと被処理体Ｍとが接触され、被処理体Ｍは洗浄されながら殺菌されることになる。
【００６１】
さらに、上記実施形態では、野生鳥獣肉製品の屋内製造施設１００が洗浄部１０及び内臓摘出・皮剥ぎ部２０を有しているが、洗浄部１０及び内臓摘出・皮剥ぎ部２０の一部又は全部が省略されてもよい。なお、洗浄部１０及び内臓摘出・皮剥ぎ部２０の全部が省略される場合、野生鳥獣肉製品の屋内製造施設１００で受け入れられた血抜き野生鳥獣がそのまま被処理体Ｍとなる。
【００６２】
また、上記実施形態では、野生鳥獣肉製品の屋内製造施設１００が熟成保管部５０、製品処理部６０及び冷凍冷蔵保管庫７０を有しているが、熟成保管部５０、製品処理部６０及び冷凍冷蔵保管庫７０の一部又は全部が省略されてもよい。なお、熟成保管部５０、製品処理部６０及び冷凍冷蔵保管庫７０の全部が省略される場合、処理体がそのまま野生鳥獣肉製品となる。
【符号の説明】
【００６３】
１…浸漬槽
２…流れ発生装置
３…振動付与装置
４…冷却装置
５…切欠き
１０…洗浄部
２０…内臓摘出・皮剥ぎ部
３０…洗浄殺菌処理装置
４０…食肉処理装置
１００…野生鳥獣肉製品の屋内製造施設
Ｌ…殺菌液
Ｍ…被処理体
Ｄ…ドレイン
【図１】
2019017323.tif 000003
【図２】
2019017323.tif 000004
【図３】
2019017323.tif 000005
【手続補正書】
【提出日】平成30年5月18日(2018.5.18)
【手続補正１】
【補正対象書類名】特許請求の範囲
【補正対象項目名】全文
【補正方法】変更
【補正の内容】
【特許請求の範囲】
【請求項１】
血抜き処理が行われた野生鳥獣から野生鳥獣肉製品を屋内製造施設内で製造する野生鳥獣肉製品の製造方法であって、
血抜き処理が行われた野生鳥獣から被処理体としての枝肉を準備する準備工程と、
前記被処理体と殺菌液とを接触させることにより前記被処理体を洗浄しながら殺菌して処理体を得る洗浄殺菌処理工程と、
前記処理体を食肉処理して前記野生鳥獣肉製品を得る食肉処理工程とを含み、
前記洗浄殺菌処理工程において、前記殺菌液の冷却を行う、野生鳥獣肉製品の製造方法。
【請求項２】
前記洗浄殺菌処理工程において、前記被処理体を前記屋内製造施設内に設置された浸漬槽内の殺菌液に浸漬させることにより前記被処理体と前記殺菌液とを接触させ、前記浸漬槽内の前記殺菌液に流れを発生させる、請求項１に記載の野生鳥獣肉製品の製造方法。
【請求項３】
前記洗浄殺菌処理工程において、前記被処理体を前記屋内製造施設内に設置された浸漬槽内の殺菌液に浸漬させることにより前記被処理体と前記殺菌液とを接触させ、前記殺菌液に振動を付与する、請求項１に記載の野生鳥獣肉製品の製造方法。
【請求項４】
血抜き処理が行われた野生鳥獣から野生鳥獣肉製品を製造する野生鳥獣肉製品の屋内製造施設であって、
血抜き処理が行われた野生鳥獣から準備される被処理体としての枝肉と殺菌液とを接触させることにより前記被処理体を洗浄しながら殺菌して処理体を得る洗浄殺菌処理装置と、
前記処理体を食肉処理する食肉処理装置とを含み、
前記洗浄殺菌処理装置が、前記殺菌液を冷却する冷却装置を備える野生鳥獣肉製品の屋内製造施設。
【請求項５】
前記洗浄殺菌処理装置が、
前記被処理体を浸漬させる殺菌液を貯留する浸漬槽と、
前記殺菌液に流れを発生させる流れ発生装置とを更に備える、請求項４に記載の野生鳥獣肉製品の屋内製造施設。
【請求項６】
前記洗浄殺菌処理装置が、
前記被処理体を浸漬させる殺菌液を貯留する浸漬槽と、
前記殺菌液に振動を付与する振動付与装置とを更に備える、請求項４に記載の野生鳥獣肉製品の屋内製造施設。
【手続補正２】
【補正対象書類名】明細書
【補正対象項目名】００１０
【補正方法】変更
【補正の内容】
【００１０】
すなわち、本発明は、血抜き処理が行われた野生鳥獣から野生鳥獣肉製品を屋内製造施設内で製造する野生鳥獣肉製品の製造方法であって、血抜き処理が行われた野生鳥獣から被処理体としての枝肉を準備する準備工程と、前記被処理体と殺菌液とを接触させることにより前記被処理体を洗浄しながら殺菌して処理体を得る洗浄殺菌処理工程と、前記処理体を食肉処理して前記野生鳥獣肉製品を得る食肉処理工程とを含み、前記洗浄殺菌処理工程において、前記殺菌液の冷却を行う、野生鳥獣肉製品の製造方法である。
【手続補正３】
【補正対象書類名】明細書
【補正対象項目名】００１７
【補正方法】変更
【補正の内容】
【００１７】
また本発明は、血抜き処理が行われた野生鳥獣から野生鳥獣肉製品を製造する野生鳥獣肉製品の屋内製造施設であって、血抜き処理が行われた野生鳥獣から準備される被処理体としての枝肉と殺菌液とを接触させることにより前記被処理体を洗浄しながら殺菌して処理体を得る洗浄殺菌処理装置と、前記処理体を食肉処理する食肉処理装置とを含み、前記洗浄殺菌処理装置が、前記殺菌液を冷却する冷却装置を備える野生鳥獣肉製品の屋内製造施設である。